(57)【特許請求の範囲】
【請求項１】
無線電波の送受信を行うアンテナと、データの送信を行う送信器と、データの受信を行う受信器と、データを記憶する記憶部と、指示を入力するキーパッドを備えた入力部と、携帯端末全体を制御する制御器と、表示データを表示する表示器とを有し、通信機能と通話機能を有する携帯端末であって、
予め電子メール本文を表示するモード又は添付画像と電子メール本文を重ねて表示するモードを設定しておき、
電子メールと当該電子メールの添付ファイルとしての画像データを前記アンテナを介して受信すると、当該電子メールと画像データとが関連付けられて読み出されるように前記記憶部に保存し、
前記制御器が、前記入力部により受信電子メールを表示する指示が入力されると、前記記憶部に記憶されている受信電子メールのリストを前記表示器に表示し、前記入力部により当該リストの中から読み出す電子メールが選択されると、当該選択された電子メールに関連付けられている画像データがあるか否かを判断し、前記選択された電子メールに関連付けられている画像データがあり、且つ、添付画像と電子メール本文を重ねて表示するモードが設定されている場合には、前記画像データをバックグランドとし、前記画像データと前記選択された電子メールのメール本文を重ねて前記表示器に表示させ、前記選択された電子メールに関連付けられている画像データがない、又は、電子メール本文を表示するモードが設定されている場合には、前記選択された電子メールのメール本文を前記表示器に表示させる制御器であることを特徴とする携帯端末。
【請求項２】
前記記憶部が、受信電子メールを記憶するメール用メモリと受信電子メールに添付された画像データを記憶する画像データ用メモリとを備えることを特徴とする請求項１記載の携帯端末。
【請求項３】
前記制御器が、受信した画像データを表示器の表示エリアのサイズに変換してから前記表示器に表示させる制御器であることを特徴とする請求項１記載の携帯端末。
【請求項４】
前記制御器が、受信した画像データの明度又はコントラスト若しくはその両方を補正して加工してから前記表示器に表示させる制御器であることを特徴とする請求項１記載の携帯端末。
【請求項５】
前記制御器が、受信した文字データの表示文字色を画像データの色度に応じて設定してから前記表示器に表示させる制御器であることを特徴とする請求項１記載の携帯端末。
【請求項６】
前記制御器が、受信した文字データの表示文字色を入力部からの操作によって複数の色に変更可能とする制御器であることを特徴とする請求項１記載の携帯端末。
【請求項７】
前記制御器が、受信した画像データを表示器の表示エリアのサイズに変換し、明度又はコントラスト若しくはその両方を補正して加工してから前記表示器に表示させる制御器であることを特徴とする請求項１記載の携帯端末。
【請求項８】
前記制御器が、受信した文字データの表示文字色を画像データの色度に応じて設定してから前記表示器に表示させる制御器であることを特徴とする請求項１記載の携帯端末。
【請求項９】
前記制御器が、受信した電子メールに添付された画像データが複数ある場合、バックグランドとして表示する画像データを、入力部からの操作によって切替可能とする制御器であることを特徴とする請求項１記載の携帯端末。
【請求項１０】
前記制御器が、受信した画像データを表示器の表示エリアのサイズに変換して表示する際に、入力部からの操作によって拡大可能とし、表示エリアに表示されない部分をスクロールして表示させる制御器であることを特徴とする請求項３記載の携帯端末。
【発明の詳細な説明】
【０００１】
【発明の属する技術分野】
本発明は、電子メールの送受信機能を有する携帯端末に係り、特に画像が添付された電子メールを添付画像と共に見易く表示し、使い勝手を向上できる携帯端末に関する。
【０００２】
【従来の技術】
インターネットの電子メールで画像データを添付する方式としては、一般的にバイナリファイルである画像データをｂａｓｅ６４、ｕｕｅｎｃｏｄｅ等の方式でテキストに変換し、電子メール本文に続けて送出する方法がとられている。そして、このような電子メールをパソコン或いは携帯端末で受信する場合は、電子メールソフトで電子メール本文に続けて添付されている添付ファイル部分を自動的に検出し、元の画像データファイルに復元・保存するようになっている。
【０００３】
そして、電子メール受信時の電子メール本文及び添付画像の表示方法としては、使用する電子メール端末の種類によって様々であるが、端末の表示エリアの大きさによって、電子メール本文と添付画像を同時に見ることができる場合とできない場合が生じる。
例えば、パソコン及び比較的表示エリアの大きいＰＤＡ（Personal Digital Assistants）等の携帯端末では、電子メール本文の表示エリアと隣接するエリアに添付画像を表示し、画像が画面に表示しきれない場合は、画面のスクロール機能を併用して画像のみ、又は電子メール本文を含めてスクロールさせて表示し、十分な視認性を得ることができて、ある程度は使用に耐えられる。
【０００４】
しかし、携帯電話機のような表示エリアの狭い端末上で画像データが添付された電子メールを表示する場合には、電子メール本文の下に添付画像を表示し、画面のスクロール機能を用いてスクロールさせて画像全体を徐々に表示する方法で、電子メール本文と添付画像を続けて閲覧する方法が採られていた。
【０００５】
尚、電子メールなどの画像情報の表示に関する従来技術としては、平成１１年７月１３日公開の特開平１１−１９１８３６号「通信装置及びその制御方法」（出願人：キャノン株式会社、発明者：柴岡英夫他）がある。
この従来技術は、受信した画像や撮影した画像を予め記憶されている通信相手情報等と関連付けて記憶し、通信相手情報と画像とを１画面になるように編集して表示する通信装置及びその制御方法であり、これにより、画像と通信相手情報とを同時に参照でき、任意の画像の検索が容易にに行えるものである。
【０００６】
【発明が解決しようとする課題】
しかしながら、上記従来の携帯端末、特に表示エリアの狭い携帯端末では、電子メール本文と添付画像を同時に見ることはほとんどの場合不可能であり、添付画像を含む電子メールを一目で確認することができず不便であるという問題点があった。
【０００７】
本発明は上記実情に鑑みて為されたもので、電子メール本文を添付画像に重ねて表示して、電子メール受信端末としての使い勝手を向上できる携帯端末を提供することを目的とする。
【０００８】
【課題を解決するための手段】
上記従来例の問題点を解決するための本発明は、関連付けて送信された画像データと文字データとを受信する受信器と、指示を入力する入力部と、画像データと文字データから表示データを生成する制御器と、前記表示データを表示する表示器とを有する携帯端末において、
制御器が、画像データをバックグランドとし、画像データ上に関連する文字データを重ねて表示するように表示データを生成する制御器であることを特徴としており、受信した画像データと文字データとを共に１画面で見易く表示し、使い勝手を向上できる。
【０００９】
また、上記本発明において、文字データが電子メール本文の文字データであり、画像データが電子メールに添付された画像データであることを特徴とする携帯端末なので、画像データが添付された電子メールの文字データを添付画像と共に１画面で見易く表示し、使い勝手を向上できる。
【００１０】
また、上記本発明において、制御器が、受信した画像データを表示器の表示エリアのサイズに変換してから表示データを生成する制御器であることを特徴とする携帯端末なので、受信画像サイズに対して表示エリアが狭い場合であっても、受信した画像データと文字データとを共に１画面で見易く表示し、使い勝手を向上できる。
【００１１】
また、上記本発明において、制御器が、受信した画像データの明度又はコントラスト若しくはその両方を補正して加工してから表示データを生成する制御器であることを特徴とする携帯端末なので、受信した画像データをバックグランドとして文字データを重ねて表示する際に、画像を目立たないようにすることによって、画像と重なった状態であっても文字データを見易く表示できる。
【００１２】
また、上記本発明において、制御器が、受信した文字データの表示文字色を画像データの色度に応じて設定してから表示データを生成する制御器であることを特徴とする携帯端末なので、受信した画像データをバックグランドとして、文字データを重ねて表示する際に、文字を目立たせることによって、画像と重なった状態であっても文字データを見易く表示できる。
【００１３】
また、上記本発明において、制御器が、受信した画像データが複数ある時に、バックグランドとして表示する画像データを、入力部からの操作によって切替可能とする制御器であることを特徴とする携帯端末なので、バックグランドとして表示する画像データを手軽に切り替えて表示し、使い勝手を向上できる。
【００１４】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１５】
本発明に係る携帯端末は、関連付けて送信された画像データと文字データとを受信し、受信した画像データを表示エリアのサイズに変換し、画像データの明度又はコントラスト若しくはその両方を補正し、受信した文字データの表示文字色を画像データの色度に応じて設定してから表示データを生成して、受信した画像データをバックグランドとして、画像データ上に関連する文字データを重ねて表示するものなので、受信画像サイズに対して表示エリアが狭い場合であっても、受信した画像データと文字データとを共に１画面で見易く表示し、且つ画像を目立たなくし、文字を目立たせることによって、画像と文字とが重なった状態であっても文字データを見易く表示し、使い勝手を向上できるものである。
【００１６】
特に、文字データが電子メール本文の文字データであり、画像データが電子メールに添付された画像データである本発明の携帯端末は、画像データが添付された電子メールの文字データを添付画像と共に１画面で見易く表示し、使い勝手を向上できるものである。
【００１７】
機能実現手段で説明すれば、本発明に係る携帯端末は、関連付けて送信された画像データと文字データとを受信する受信器と、指示を入力する入力部と、画像データを表示エリアのサイズに変換し、画像データの明度又はコントラスト若しくはその両方を補正して加工し、文字データの表示文字色を画像データの色度に応じて設定してから、画像データと文字データから画像データをバックグランドとし、画像データ上に関連する文字データを重ねて表示するように表示データを生成する制御器と、表示データを表示する表示器とを有しているものなので、受信画像サイズに対して表示エリアが狭い場合であっても、受信した画像データと文字データとを共に１画面で見易く表示し、且つ画像を目立たなくし、文字を目立たせることによって、画像と文字とが重なった状態であっても文字データを見易く表示し、使い勝手を向上できるものである。
【００１８】
尚、本発明の実施の形態における各手段と図１の各部との対応を示すと、受信機は、アンテナ１，アンテナ共用器２、受信機４に相当し、制御器は、制御部１０，記憶部７、表示器制御部２０に相当し、表示器は、表示器６に相当している。
【００１９】
まず、本発明に係る携帯端末の構成について図１を使って説明する。図１は、本発明に係る携帯端末の構成ブロック図である。
本発明の携帯端末は、無線電波の送受信を行うアンテナ１と、アンテナ１を送受信共用とするためのアンテナ共用器２と、データの送信制御を行う送信器３と、受信制御を行う受信器４と、携帯端末の各種機能の入力を行うキーパッドなどのユーザインタフェース部５と、入力データや受信電子メールなどの表示を行う表示器６と、各種データを記憶する記憶部７と、携帯端末全体の制御を行う制御部１０と、表示器６の表示制御を行う表示器制御部２０とから構成されている。
【００２０】
本発明の携帯端末の各部について説明するが、アンテナ１、アンテナ共用器２、送信器３、受信器４、ユーザインタフェース部５、表示器６については、一般的な携帯端末における構成と同様であるので、ここでは説明を省略し、本発明の特徴部分に関連する部分について詳しく説明する。
【００２１】
記憶部７は、携帯端末に関する各種データを記憶する記憶部であるが、特に本件では、受信電子メールの本文（文字データ）を記憶するメール本文用メモリ８と、受信電子メールに添付された画像データを記憶する画像データ用メモリ９ａと、加工した画像データを一時的に記憶する一時画像データメモリ９ｂとを備えている。
尚、メール本文用メモリ８に記憶された電子メール本文と画像データ用メモリ９ａに記憶された画像データとは、関連づけられて読み出されるように保存されている。
【００２２】
表示器制御部２０は、表示器６における表示を制御するもので、その内部は、アドレスコントローラ２１と、表示データＲＡＭ２２と、表示器ドライバ２３とから構成されている。
表示データＲＡＭ２２は、表示器６に表示する表示データを記憶するメモリである。
表示器ドライバ２３は、表示データＲＡＭ２２に記憶された表示データを表示器６に表示するドライバである。
【００２３】
アドレスコントローラ２１は、制御部１０からの指示に従って表示データＲＡＭ２２への書き込みアドレスをコントロールしながら、表示データＲＡＭ２２へ表示データの書き込みを行うコントローラである。
尚、アドレスコントローラ２１では、表示データが文字データの場合には、文字データを文字表示ドットデータに変換し、文字表示ドット部分のアドレスをコントロールして、制御部１０から指示された表示色で表示データＲＡＭ２２へ表示データの書き込みを行うようになっている。
【００２４】
これまで説明した各構成要素は、従来の携帯端末における構成と同様である。
本発明の携帯端末の特徴は、これから説明する制御部１０におけるメール表示手段１３の処理内容が、従来と異なるもので、本発明の特徴的な機能は、制御部１０で実行されるソフトウェア上に実装することによって実現できるものである。
【００２５】
制御部１０は、携帯端末全体を制御するもので、ユーザインタフェース部５からの入力に従って、一般的な携帯端末としての通信機能や通話機能、各種設定機能などを行うものである。そして、本発明の携帯端末の前提となる電子メールの送受信を行う機能を有している。
本発明の携帯端末の制御部１０は、本発明の特徴部分である電子メールの受信及び表示に関連する部分として、メール受信手段１１と、画像データデコード手段１２と、メール表示手段１３とを有しており、メール表示手段１３内には、画像加工手段１４と文字設定出力手段１５とを備えている。
【００２６】
メール受信手段１１は、電子メールを受信する手段で、電子メールを受信すると、添付ファイルのない電子メールの場合には、そのままメール本文用メモリ８に電子メールを保存し、添付ファイル（画像データ）がある電子メールの場合には、一時記憶部（図示せず）に記憶して、画像データデコード手段１２を起動するようになっている。
【００２７】
画像データデコード手段１２は、電子メールの送信側でbase64又はuuencodeなどの方式でエンコードされた画像のファイルをデコードしてバイナリの画像データを生成する手段である。本発明では、添付ファイル（画像データ）がある電子メールを受信した場合にメール受信手段１１によって起動され、電子メール本文に添付された画像データ部分を検出し、画像データのデコードを行い、電子メール本文はメール本文用メモリ８に保存し、画像データは、画像データ用メモリ９ａに保存するようになっている。尚、メール本文用メモリ８に記憶された電子メール本文と画像データ用メモリ９ａに記憶された画像データとは、関連づけられて読み出されるように保存されている。
【００２８】
メール表示手段１３は、メール本文用メモリ８及び画像データ用メモリ９ａに記憶された受信電子メールを表示器６に表示させる手段である。
具体的に、メール表示手段１３は、ユーザインタフェース部５から受信電子メールを表示する機能が指示されると起動され、予め設定されている表示モード又は操作の途中で設定変更された表示モードに従って、電子メール本文のみ、又は画像のみ、又は電子メール本文と画像を重ねて表示する制御を行うようになっている。
画像又は電子メール本文の文字データ又はその両方を表示器制御部２０のアドレスコントローラ２１を介して、表示データＲＡＭ２２に格納すると、表示器ドライバ２３が表示データＲＡＭ２２内の表示データを読み出して表示器６に出力し、表示器６における表示が為される。
【００２９】
尚、表示モードとしては、電子メール本文のみを表示する「本文のみ」モードと、添付された画像のみを表示する「画像のみ」モードと、添付画像と電子メール本文を重ねて表示する「画像と本文」モードがあり、予め設定できるのは、「本文のみ」又は「画像と本文」である。そして、電子メール表示中に「画像のみ」のモード設定を行うと添付画像だけを表示し、更に表示縮尺を変えて表示できるようになっている。
また、添付画像の表示に際しては、電子メール本文及び添付画像を見易く表示するために、画像加工・出力手段１４を設けて、受信した画像データに各種加工を施してから表示器６に表示させ、また文字設定・出力手段１５を設けて、受信した電子メール本文を表示する際の表示色を設定し、表示器６に表示させるようになっている。
【００３０】
画像加工・出力手段１４における画像加工の具体例としては、まず第１に、受信して画像データ用メモリ９ａに記憶されている画像データを、表示器６の表示エリアに合わせて画像を伸縮する画像サイズ調整処理を行う。そして、第２に、電子メール本文の文字を画像に重ねて表示する時に、画像を目立たなくして文字を見易くするように、画像のコントラストを下げるか、又は明度を上げるか、若しくはその両方の補正を行う画像補正処理を行う。尚、画像サイズ調整処理又は画像補正処理の際には、記憶部７の一時画像データメモリ９ｂを用い、最終的に処理が施された表示用の画像データを、表示器制御部２０のアドレスコントローラ２１を介して、表示データＲＡＭ２２に格納する。
【００３１】
また、画像のみを表示する場合の、表示縮尺の可変機能を実現するために、使用者からの指示に従う画像拡大・縮小処理も行う。なお、拡大した場合には、画面をスクロールして画像全体を表示できるように、記憶部７の一時画像データメモリ９ｂに拡大画像のデータを記憶し、ユーザインタフェース部５からのスクロール指示に従って、一時記憶した拡大画像のデータを出力するようになっている。
そして、そのようにして生成された画像データを、アドレスコントローラ２１を介して表示データＲＡＭ２２に書き込む。
なお、ここで行う画像サイズ調整処理、画像補正処理、画像拡大処理の具体的な方法については、如何なる方法でも良く本発明で限定するものではない。
【００３２】
また、文字設定・出力手段１５の具体例としては、画像と文字とを重ねて表示する際に、添付画像と文字との色度が近いと文字が読み難くなるので、文字を目立たせることによって文字を見易くする手段として、画像データの色度に応じて表示文字色を設定する方法と、ユーザインタフェース部５からの操作によって表示文字色を複数の色に変更可能としてから表示データを生成する記憶部７の画像データ用メモリ９ａに記憶されている添付画像の色度、又は、画像加工・出力手段１４によって加工処理が施された後に一時画像データメモリ９ｂに記憶されている添付画像の色度を解析し、解析結果に従って予め対応図けられている見易い最適な文字の色を選択する方法や、あるいはユーザインタフェース部５に割り当てられた特定のキーを使用者が押下することにより、文字色を「黒」→「白」→「青」→「赤」等と変化させるようにしても良い。
そして、文字色を決定した上で、電子メール本文を記憶部７のメール本文用メモリ８から読み出し、電子メール本文の文字データと文字色をアドレスコントローラ２１に出力して、アドレスコントローラ２１によって、表示データＲＡＭ２２上に記憶されている画像データに、文字表示ドット部分のみを上書きして、表示データＲＡＭ２２上で画像と文字の重ね合わせを行うようになっている。
【００３３】
ここで、メール表示手段１３のメール表示処理の流れについて、図２を使って説明する。図２は、本発明の携帯端末の制御部１０内のメール表示手段１３の処理の流れを示すフローチャート図である。
本発明の携帯端末の制御部１０内のメール表示手段１３によるメール表示処理は、ユーザインタフェース部５から受信電子メールを表示する機能が指示されると起動され、図２に示すように、メール本文用メモリ８に記憶されている受信電子メールのリストを表示器６に表示させ（１００）、リストの中から読み出す電子メールをユーザインタフェース部５で選択入力し（１０４）、選択した電子メールが添付ファイル有りか判断し（１０６）、有りの場合（Ｙｅｓ）は、添付ファイルが画像ファイルであるか判断する（１０８）。
【００３４】
そして、添付ファイルが画像データである場合（Ｙｅｓ）は、表示モードが「本文のみ」であるか判断し（１１０）、「本文のみ」でない場合（Ｎｏ）は、表示モードが「画像のみ」であるか判断し（１１２）、「画像のみ」でない場合（Ｎｏ）は、画像と本文を重ねて表示するモードであると認識し、画像加工・出力手段１４を起動して画像加工・出力処理を行い（１１４）、文字設定・出力手段１５を起動して文字設定・出力処理を行う（１１６）。
【００３５】
ここで、画像加工・出力手段１４における画像加工・出力処理は、表示器６の表示エリアに合わせて画像を伸縮する画像サイズ調整処理と、電子メール本文の文字を重ねて表示する時に文字を見易くするように画像の明度、コントラストの補正を行う画像補正処理とを行う。
また、文字設定・出力手段１５における文字設定・出力処理は、画像の色度に基づく最適な文字色を選択する処理及び使用者による文字色切替処理である。
この結果、アドレスコントローラ２１を介して、背景となる画像データと、電子メール本文の文字データの文字表示ドットが表示データＲＡＭ２２に書き込まれ、表示器ドライバ２３の働きで、表示器６に表示されることになる。
【００３６】
そして、ユーザインタフェース部５からのキー操作待ちを行い（１４０）、ユーザインタフェース部５から表示モードの切替操作が行われたか判断し（１４２）、表示モードの切替操作が行われたなら（Ｙｅｓ）、処理１１０に戻って表示モードに沿った処理を行い、表示モードの切替操作が行われていなければ（Ｎｏ）、電子メールの読み出しが終了したか判断し（１４４）、終了していなければ（Ｎｏ）、処理１０４に戻って別の電子メールについての表示処理を繰り返し、電子メールの読み出しが終了したなら（Ｙｅｓ）、メール表示処理を終了する。
【００３７】
一方、処理１０６において、添付ファイルがなかった場合（Ｎｏ）、又は処理１０８において、添付ファイルが画像ファイルでなかった場合（Ｎｏ）、又は処理１１０において、表示モードが本文のみの設定であった場合（Ｙｅｓ）は、電子メール本文のみの表示処理として、アドレスコントローラ２１に対して、表示データＲＡＭ２２内をクリアする指示を出力し、次にメール本文用メモリ８に記憶された電子メール本文の文字データをアドレスコントローラ２１に出力し（１３０）、処理１４０に進むことになる。
尚ここで、電子メール本文のみ表示の場合には、文字の表示色等を調整する必要はないが、文字設定・出力手段１５の一部を用いて、使用者が好みの文字色を選択できるようにしても構わない。
【００３８】
また、処理１１２において、表示モードが画像のみ表示であった場合（Ｙｅｓ）には、添付画像のみの表示処理を行い（１２０）、処理１４０に進むようになっている。
ここで、添付画像のみの表示処理としては、画像加工・出力手段１４における表示器６の表示エリアに合わせて画像を伸縮する画像サイズ調整処理と、表示縮尺の可変機能を実現する使用者からの指示に従う画像拡大・縮小処理を行う。特に、拡大表示中にユーザインタフェース部５からのスクロール指示があると、画面をスクロールして拡大画像全体を表示するような処理を行う。
【００３９】
尚、画像加工・出力手段１４における画像加工・出力処理は、画像サイズ調整処理のみであっても良いし、画像の明度、コントラストの補正を行う画像補正処理のみであっても良いし、その両方であっても良い。また、メール表示手段１３における実際の実現手段は、画像加工・出力手段１４のみを行っても良いし、文字設定・出力手段１５のみを行っても良いし、その両方を行っても良い。
【００４０】
次に、本発明の携帯端末の動作について、図１を用い、図３から図５の具体的表示例を示しながら説明する。図３は、本発明の携帯端末の画像と電子メール本文を重ねた表示例であり、図４は、本発明の携帯端末の電子メール本文のみの表示例であり、図５は、本発明の携帯端末の画像のみの表示例であり、（ａ）が表示エリアに合わせた全体表示例を示し、（ｂ）が、拡大表示例を示している。
本発明の携帯端末では、制御部１０内のメール受信手段１１の動作で、アンテナ１、アンテナ共用器２、受信器４を介して電子メールが受信されると、本文のみの電子メールの場合は、本文の文字データが記憶部７内のメール本文用メモリ８に記憶される。
一方、受信した電子メールが、画像データが添付された電子メールの場合には、画像データデコード手段１２の動作で、電子メール本文に添付された画像データ部分が検出され、本文の文字データはメール本文用メモリ８に記憶され、画像データはデコードされて画像データ用メモリ９ａに記憶される。
【００４１】
そして、使用者が、ユーザインタフェース部５より電子メール表示の指示を行うと、制御部１０のメール表示手段１３が起動される。この時、予め画像データが添付された電子メールの表示方法（表示モード）として、電子メール本文のみ表示、添付画像のみ表示、或いは添付画像と電子メール本文を重ねて表示のいずれかが選択されて設定されているものとし、また、表示処理の途中でもモードの変更が行われるものとする。
【００４２】
メール表示手段１３の動作として、電子メールリストの中から選択された電子メールに添付画像が有る場合に、表示モードが、添付画像と電子メール本文を重ねて表示するモードである場合は、画像加工・出力手段１４が起動されて、画像データ用メモリ９ａから画像データが読み込まれ、表示器６の表示エリアに合わせて伸縮する画像サイズ調整処理が施され、更に文字を重ねた時に文字を見易くするように画像の明度、コントラストの補正を行う画像補正処理が施されて画像が加工され、そのようにして生成された画像データが、アドレスコントローラ２１を介して表示データＲＡＭ２２に書き込まれる。
【００４３】
次に、文字設定・出力手段１５が起動されて、メール本文用メモリ８から電子メール本文の文字データが読み込まれ、画像の色度に基づく最適な文字色が選択されるか、又は、使用者によって切り替えられた文字色で文字色が決定されて、電子メール本文の文字データと文字色の指示がアドレスコントローラ２１に出力され、アドレスコントローラ２１で文字を画像に重ねるために文字データが指定された文字色で文字表示ドットデータに変換され、アドレスが制御されて、表示データＲＡＭ２２上の画像データに文字表示ドット部分のみが上書きされて、表示データＲＡＭ２２上で画像と文字を重ね合わせた表示データが生成される。
そのようにして完成した表示データＲＡＭ２２の表示データが、表示器ドライバ２３を介して表示器６に出力され、図３に示すように、添付画像データを背景（バックグランド）にして、電子メール本文が表示されることになる。
【００４４】
一方、表示モードが電子メール本文のみとなっている場合には、メール表示手段１３により、まずアドレスコントローラ２１に対して表示データＲＡＭ２２上のデータを消去する指示が出力されて、アドレスコントローラ２１によって表示データＲＡＭ２２上のデータが消去され、次に、文字データがアドレスコントローラ２１に出力されて、アドレスコントローラ２１によって文字表示ドットデータに変換されて、アドレスが制御されて文字表示ドットデータが表示データＲＡＭ２２に書き込まれ、表示器ドライバ２３を介して表示器６に出力されて図４に示すように、電子メール本文の文字データだけが表示されることになる。
【００４５】
そして、電子メール表示中にユーザインタフェース部５からの指示で表示モードの変更を行えば、「画像のみ」の表示モードも選択でき、「画像のみ」の表示モードが指示されると、画像加工・出力手段１４が起動されて、画像データ用メモリ９ａから画像データが読み込まれ、表示器６の表示エリアに合わせて伸縮する画像サイズ調整処理が施され、生成された画像データが、アドレスコントローラ２１を介して表示データＲＡＭ２２に書き込まれ、表示器ドライバ２３を介して表示器６に出力され、図５（ａ）に示すように、添付画像データのみが表示されることになる。
【００４６】
そして、「画像のみ」の表示モードにおいては、表示縮尺の可変機能が備えられていて、例えば、ユーザインタフェース部５より拡大表示が指示されると、画像加工・出力手段１４の動作によって、受信した画像データが拡大されて一時画像データメモリ９ｂに記憶され、その中の一部（表示可能な分）がアドレスコントローラ２１を介して表示データＲＡＭ２２に書き込まれ、表示器ドライバ２３を介して表示器６に出力され、図５（ｂ）に示すように、添付画像の拡大画像の一部が表示され、詳細を確かめることができる。その際、表示例のように矢印記号等の、画像スクロールが可能な事を知らせる表示を行う。
【００４７】
そして、ユーザインタフェース部５よりスクロールが指示されると、スクロールの方向に応じて、一時画像データメモリ９ｂからスクロール部分の画像データが読み込まれ、アドレスコントローラ２１を介して表示データＲＡＭ２２に書き込まれ、表示器ドライバ２３を介して表示器６に出力されて表示されることになる。
尚、画像の拡大については、記憶部７の画像データ用メモリ９ａに記憶された受信画像データを用いて拡大表示を行っても良いし、表示サイズに合わせて加工した画像を一時画像データメモリ９ｂに記憶しておき、それを基に拡大しながら表示するようにしてもどちらでも良い。
【００４８】
尚、表示データＲＡＭ２２を表示器６の表示エリアよりも大容量で構成できるのであれば、拡大画像の画像データを表示データＲＡＭ２２に書き込んで於いて、表示器ドライバ２３の制御によって、スクロールを実現するようにしても構わない。
【００４９】
これまでの説明では、１つの電子メールの添付される画像データが１つの場合で説明してきたが、電子メールに添付された画像が複数の場合、電子メール本文を重ねて表示するか否かに関わらず、ユーザインタフェース部５に割り当てられた特定キーを使用者が押下することにより、「画像１」「画像２」「画像３」…というように表示が切り替えられるようにすることも可能である。
【００５０】
また、これまでの説明では、画像データを添付データとする電子メールの表示について説明してきたが、電子メールの受信に関わらず、例えば、画像情報を送受信するシステムにおける受信側での受信画像表示にも応用できる。
例えば、送信側の携帯端末でカメラ等を使用して取り込んだ画像の画像データを、そのまま受信側の携帯端末に送信し、受信側で画像データを表示するシステムにおいて、送信側より、画像撮影日時、画像送信者等の付与情報等の文字データを画像データと共に送信したような場合に、受信側で受信画像データを表示し、更に受信画像上に、画像撮影日時、画像送信者等の付与情報の文字データを重ねて表示し、その際に画像のサイズ調整処理、及び明度・コントラストの補正処理を行い、更に、付与情報の文字色などの調整を行って見易く表示できるようにしても良い。
また、画像のみを表示した場合には、表示縮尺を可変として拡大表示を行えば、画像の詳細を表示できる。
【００５１】
本発明の実施の形態の携帯端末では、画像データが添付された電子メールを表示する際に、電子メール本文と画像データを重ねて表示するよう設定されていたなら、画像加工・出力手段１４で受信した画像データを表示器６の表示エリアに合わせてサイズ調整して、電子メール本文の文字を画像の上に重ねて表示するので、画像が添付された電子メールの画像を電子メール本文と共に素早く確認できるようになり、パソコン、ＰＤＡに比べ限られた表示スペースしか持たない携帯端末においても、電子メール端末としての使い勝手が向上し、画像を扱う電子メールをより気軽に利用できるようになる効果がある。
【００５２】
また、本発明の携帯端末では、画像と文字とを重ねて表示する際に、画像加工・出力手段１４において、画像の明度・コントラストを補正し、更に、文字設定・出力手段１５において、背景となる添付画像の色度を解析し、解析結果に従って予め対応付けられている最適な文字色を選択するか、あるいは使用者の操作によって、文字色を切替できる機能を備えるので、添付画像を目立たなくするか又は文字を目立つようにするか又はその両方により、画像上に重ねて表示される文字が見え難くなることを防ぐことができる効果がある。
【００５３】
更に、本発明の携帯端末では、添付画像のみの表示を行うモードの場合に、表示縮尺を可変にする機能を備えているので、添付画像を拡大表示して詳細を確かめることができ、その際、表示例のように矢印記号等の画像スクロールが可能な事を知らせる表示を行うので、ユーザに分かりやすい操作性を実現できる効果がある。
【００５４】
また、本発明の携帯端末では、添付画像のある電子メールの表示に限らず、画像撮影日時や送信者などの付加情報の文字データを持つ画像データの表示の際にも応用できる効果がある。
【００５５】
そして、上記説明した、本発明の機能は、制御部１０で実行されるソフトウェアで実装することによって実現できるので、今の構成のままで構成を増大することなく実現できる効果がある。
【００５６】
【発明の効果】
本発明によれば、受信器が関連付けて送信された画像データと文字データとを受信し、制御器が画像データをバックグランドとし、画像データ上に関連する文字データを重ねて表示するように表示データを生成し、表示器が表示データを表示する携帯端末としているので、受信した画像データと文字データとを共に１画面で見易く表示し、使い勝手を向上できる効果がある。
【００５７】
また、上記発明において、文字データが電子メール本文の文字データであり、画像データが電子メールに添付された画像データである携帯端末としているので、画像データが添付された電子メールの文字データを添付画像と共に１画面で見易く表示し、使い勝手を向上できる効果がある。
【００５８】
また、上記発明において、制御器が、受信した画像データを表示器の表示エリアのサイズに変換してから表示データを生成する携帯端末としているので、受信画像サイズに対して表示エリアが狭い場合であっても、受信した画像データと文字データとを共に１画面で見易く表示し、使い勝手を向上できる効果がある。
【００５９】
また、上記発明において、制御器が、受信した画像データの明度又はコントラスト若しくはその両方を補正して加工してから表示データを生成する携帯端末としているので、受信した画像データをバックグランドとして文字データを重ねて表示する際に、画像を目立たないようにすることによって、画像と重なった状態であっても文字データを見易く表示し、使い勝手を向上できる効果がある。
【００６０】
また、上記発明において、制御器が、受信した文字データの表示文字色を画像データの色度に応じて設定してから表示データを生成する携帯端末としているので、受信した画像データをバックグランドとして、文字データを重ねて表示する際に、文字を目立たせることによって、画像と重なった状態であっても文字データを見易く表示し、使い勝手を向上できる効果がある。
【００６１】
また、上記本発明において、制御器が、受信した画像データが複数ある時に、バックグランドとして表示する画像データを、入力部からの操作によって切替可能とする制御器であることを特徴とする携帯端末なので、バックグランドとして表示する画像データを手軽に切り替えて表示し、使い勝手を向上できる効果がある。
【図面の簡単な説明】
【図１】本発明に係る携帯端末の構成ブロック図である。
【図２】本発明の携帯端末の制御部内のメール表示手段の処理の流れを示すフローチャート図である。
【図３】本発明の携帯端末における画像と電子メール本文を重ねた表示例である。
【図４】本発明の携帯端末における電子メール本文のみの表示例である。
【図５】本発明の携帯端末における画像のみの表示例である。
【符号の説明】
１…アンテナ、  ２…アンテナ共用器、  ３…送信器、  ４…受信器、  ５…ユーザインタフェース部、  ６…表示器、  ７…記憶部、  ８…メール本文用メモリ、  ９ａ…画像データ用メモリ、  ９ｂ…画像データ用メモリ９ｂ、  １０…制御部、  １１…メール受信手段、  １２…画像データデコード手段、  １３…メール表示手段、  １４…画像加工・出力手段、  １５…文字設定・出力手段、  ２０…表示器制御部、  ２１…アドレスコントローラ、  ２２…表示データＲＡＭ、  ２３…表示器ドライバ
【図１】
0004516247.tif 000002
【図２】
0004516247.tif 000003
【図３】
0004516247.tif 000004
【図４】
0004516247.tif 000005
【図５】
0004516247.tif 000006